(57)【要約】【課題】六面体状の箱の外周面を覆って樹脂フィルムが装着されている場合でも、安定した状態で自立することのできる自立箱を提供する。【解決手段】背面側の正面板１７ｂの下端縁部の両端部分には、底部正面フラップ１８との折曲げ線１３ｆよりも下方に突出する角部脚片２０が、当該両端部分から両側縁の折曲げ線１３ｃ，１３ｄを越えて延在して各々設けられている。角部脚片２０は、ブランク１１から六面体状の箱に組み立てられた際に、両側縁の折曲げ線１３ｃ，１３ｄの部分で折り曲げられて、背面側の正面板１７ｂと一対の側面板１５との各角部の下端からＬ字形断面形状で各々突出するようになっている。これらのＬ字形断面形状の角部脚片２０は、前面側の正面板１７ａの下端縁部から六面体状の箱の底部１４よりも下方に突出して設けられた脚片２１と共に、載置面に立設させる際の支持脚部を構成する。【選択図】図２
2011168320.tif 000002
【特許請求の範囲】
【請求項１】
所定の形状に裁断されたブランクを折曲げ線に沿って折り曲げることで六面体状に組み立てられた箱に収容物を収容してフィルム包装された自立箱であって、
前記六面体状の箱の底部は、左右一対の側面板の下端縁部に折曲げ線を介して各々連続する一対の底部側面フラップを内側に配置して、前後一対の正面板のうちの一方の下端縁部に折曲げ線を介して連続する底部正面フラップを折り重ね、該底部正面フラップの先端縁部に折曲げ線を介して連続する底部差込フラップを他方の正面板の下端縁部の内側に差し込むことによって形成されるようになっており、
前記一方の正面板の下端縁部の両端部分には、前記底部正面フラップとの折曲げ線よりも下方に突出する角部脚片が、当該両端部分から両側縁の折曲げ線を越えて延在して各々設けられており、
前記角部脚片は、前記ブランクから六面体状の箱に組み立てられた際に、前記両側縁の折曲げ線の部分で折り曲げられて、前記一方の正面板と前記一対の側面板との各角部の下端からＬ字形断面形状で各々突出するようになっており、
該Ｌ字形断面形状の角部脚片は、前記他方の正面板の下端縁部から前記六面体状の箱の底部よりも下方に突出して設けられた脚片と共に、載置面に立設させる際の支持脚部を構成している自立箱。
【請求項２】
前記底部正面フラップと前記底部差込フラップとの間の折曲げ線の両端部分に係止切込みが形成されており、前記底部差込フラップを前記他方の正面板の下端縁部の内側に差し込んだ際に、前記底部側面フラップの基端部分に前記係止切込みが係止されるようになっており、前記他方の正面板に設けられた脚片は、前記他方の正面板の下端縁部の略全長に亘って前記六面体状の箱の底部よりも下方に突出して設けられている請求項１記載の自立箱。
【請求項３】
前記他方の正面板に設けられた脚片は、前記他方の正面板の両側縁の折曲げ線を越えてＬ字断面形状に折れ曲った角部脚部を含んで形成されている請求項１記載の自立箱。
【請求項４】
前記所定の形状に裁断されたブランクは、厚さが０．１〜１ｍｍである請求項１〜３の何れかに記載の自立箱。
【請求項５】
前記所定の形状に裁断されたブランクは、プラスチック製のブランクである請求項１〜４の何れかに記載の自立箱
【発明の詳細な説明】
【技術分野】
【０００１】
本発明は、自立箱に関し、特に、六面体状に組み立てられた箱に収容物を収容してフィルム包装された自立箱に関する。
【背景技術】
【０００２】
例えば化粧品等の各種の小物品を収容し、販売店等に陳列されて消費者が片手で容易に把持できる程度の小型の容器として、六面体状の箱容器が多用されている。六面体状の箱容器は、一般に、所定の形状に裁断された紙製やプラスチック製の薄板状のシート材料であるブランクを、折曲げ線に沿って折り曲げて中空の立体形状に組み立てられる。これらの小型の箱容器は、底部フラップによる底部の面積が小さく、また底部フラップによる底部は、細長い矩形形状を備えていることが多い。また底部フラップによる底部は、正面板と内側に折り込まれる側面フラップとの間の隙間に先端差込片をに差し込むことで形成されるので、底部フラップが反り返った状態になり易い。このため、これらの小型の箱容器は、底部を陳列棚に載置して個々の箱容器を立設させた状態で陳列すると、特に縦長の箱容器の場合に不安定になり易いことから、専用の陳列架や陳列ケース等を用いて陳列される場合が多い。
【０００３】
これに対して、六面体状の箱容器を立設させた際の安定性を向上させて、専用の陳列ケース等を用いることなく、自立させた状態で陳列できるようにする技術が種々開示されている（例えば、特許文献１、特許文献２、特許文献３、特許文献４参照）。これらの特許文献に記載の自立可能な自立箱は、正面板や背面板の下端縁部から下方に突出する脚部自立片を設けることで、これらの脚部自立片に支持させて、自立箱が立設した状態を容易に保持できるようにする（図５（ａ）参照）。
【先行技術文献】
【特許文献】
【０００４】
【特許文献１】実公平５−３５０５２号公報
【特許文献２】特開２００１−２５３４７５号公報
【特許文献３】特開２００２−２２５８５６号公報
【特許文献４】特開２００９−１６６８７９号公報
【発明の概要】
【発明が解決しようとする課題】
【０００５】
一方、化粧品等の小物品を収容する箱容器は、勝手に開けられて収容物が改竄されることがないように、近年、外周面を覆ってシュリンクフィルムやラッピングフイルム等の樹脂フィルムを装着することで、二重に包装した状態で形成されることが多い。しかしながら、脚部自立片が板状に設けられている先行技術の自立箱は、樹脂フィルムを外周面に巻き付けて装着する際に、当該樹脂フィルムによる内側への押し付け力によって、正面板や背面板の下端縁部から突出している脚部自立片が、内側に倒れるように傾倒することになって安定した状態で自立することができなくなる（図５（ｂ）参照）。
【０００６】
本発明は、六面体状の箱の外周面を覆って樹脂フィルムが装着されている場合でも、安定した状態で自立することのできる自立箱を提供することを目的とする。
【課題を解決するための手段】
【０００７】
本発明は、六面体状の箱を形成可能な所定の形状に裁断されたブランクを折曲げ線に沿って折り曲げることで六面体状に組み立てられた箱に収容物を収容してフィルム包装された自立箱であって、前記六面体状の箱の底部は、左右一対の側面板の下端縁部に折曲げ線を介して各々連続する一対の底部側面フラップを内側に配置して、前後一対の正面板のうちの一方の下端縁部に折曲げ線を介して連続する底部正面フラップを折り重ね、該底部正面フラップの先端縁部に折曲げ線を介して連続する底部差込フラップを他方の正面板の下端縁部の内側に差し込むことによって形成されるようになっており、前記一方の正面板の下端縁部の両端部分には、前記底部正面フラップとの折曲げ線よりも下方に突出する角部脚片が、当該両端部分から両側縁の折曲げ線を越えて延在して各々設けられており、前記角部脚片は、前記ブランクから六面体状の箱に組み立てられた際に、前記両側縁の折曲げ線の部分で折り曲げられて、前記一方の正面板と前記一対の側面板との各角部の下端からＬ字形断面形状で各々突出するようになっており、該Ｌ字形断面形状の角部脚片は、前記他方の正面板の下端縁部から前記六面体状の箱の底部よりも下方に突出して設けられた脚片と共に、載置面に立設させる際の支持脚部を構成している自立箱を提供することにより、上記目的を達成したものである。
【発明の効果】
【０００８】
本発明の自立箱によれば、六面体状の箱の外周面を覆って樹脂フィルムが装着されている場合でも、安定した状態で自立することができる。
【図面の簡単な説明】
【０００９】
【図１】本発明の好ましい一実施形態に係る自立箱の斜視図である。
【図２】（ａ）は本発明の好ましい一実施形態に係る自立箱を斜め下方から見た正面側斜視図、（ｂ）は背面側斜視図である。
【図３】本発明の好ましい一実施形態に係る自立箱を形成するためのブランクの展開図である。
【図４】本発明の好ましい一実施形態に係る自立箱を自立させた状態の断面図である。
【図５】（ａ）は従来の自立箱を例示する斜視図、（ｂ）は（ａ）の従来の自立箱をフィルム包装して自立させた状態の断面図である。
【発明を実施するための形態】
【００１０】
本発明の好ましい一実施形態に係る自立箱１は、図１及び図２（ａ），（ｂ）に示すように、好ましくは透明なプラスチックからなる縦長の六面体状の箱１０の外周面を覆って樹脂フィルム１２が装着された小型の箱容器である。自立箱１を構成する箱１０の内部には、収容物として例えばスティック状の化粧品が、位置決め用の台紙と共に収容されている。また、六面体状の箱１０は、所定の形状に裁断された一枚の薄板状のシート材料であるプラスチック製のブランク１１（図３参照）を用いて組み立てられる。さらに、組み立てられた箱１０の外周面を覆ってシュリンクフィルムやラッピングフイルム等の樹脂フィルム１２が装着されていることにより、勝手に開けられて収容物が改竄されるのを防止している。さらにまた、本実施形態の自立箱１は、箱１０の外周面を覆って樹脂フィルム１２が装着されていても、陳列時に安定した状態で自立できる機能を備えている。
【００１１】
すなわち、本実施形態の自立箱１は、六面体状の箱を形成可能な所定の形状に裁断された、図３に示すようなブランク１１を折曲げ線１３ａ，１３ｂ，１３ｃ，１３ｄ，１３ｅ，１３ｆ，１３ｇ，１３ｈ，１３ｉに沿って折り曲げることで六面体状に組み立てられた箱１０に、収容物を収容し、しかる後に樹脂フィルム１２によってフィルム包装することで形成される。六面体状の箱１０の底部１４は、図２（ａ），（ｂ）に示すように、左右一対の側面板１５の下端縁部に折曲げ線１３ｅを介して各々連続する一対の底部側面フラップ１６（図３参照）を内側に配置して、前後一対の正面板１７ａ，１７ｂのうちの一方（背面側の正面板１７ｂ）の下端縁部に折曲げ線１３ｆを介して連続する底部正面フラップ１８を折り重ね、この底部正面フラップ１８の先端縁部に折曲げ線１３ｇ（図３参照）を介して連続する底部差込フラップ１９（図３参照）を他方の正面板（前面側の正面板１７ａ）の下端縁部の内側に差し込むことによって形成されるようになっている。
【００１２】
また、図２（ａ），（ｂ）に示すように、背面側の正面板１７ｂの下端縁部の両端部分には、底部正面フラップ１８との折曲げ線１３ｆよりも下方に突出する角部脚片２０が、当該正面板１７ｂの下端縁部の両端部分から両側縁の折曲げ線１３ｃ，１３ｄを越えて延在して各々設けられている。角部脚片２０は、ブランク１１から六面体状の箱１０が組み立てられた際に、両側縁の折曲げ線１３ｃ，１３ｄの部分で折り曲げられて、背面側の正面板１７ｂと一対の側面板１５との各角部の下端からＬ字形断面形状で各々突出するようになっている。これらのＬ字形断面形状の角部脚片２０は、前面側の正面板１７ａの下端縁部から六面体状の箱の底部１４よりも下方に突出して設けられた脚片２１と共に、載置面に立設させる際の支持脚部を構成している。
【００１３】
さらに、本実施形態では、図３に示すように、底部正面フラップ１８と底部差込フラップ１９との間の折曲げ線１３ｇの両端部分に係止切込み２２が形成されており、底部差込フラップ１９を前面側の正面板１７ａの下端縁部の内側に差し込んだ際に、底部側面フラップ１６の基端係止部１６ａに係止切込み２２が係止されるようになっており、前面側の正面板１７ａに設けられた脚片２１は、前面側の正面板１７ａの下端縁部の略全長に亘って六面体状の箱の底部１４よりも下方に突出して設けられている。
【００１４】
本実施形態の自立箱１を構成する箱１０は、薄板状の一枚のシート材料であるブランク１１を用いて形成される。ブランク１１の材質としては、紙ないしプラスチックとして例えばポリプロピレン（０ＰＰ）、ポリエチレンテレフタレート（ＰＥＴ）、ポリ塩化ビニル（ＰＶＣ）、ポリスチレン（ＰＳ）等を用いることができる。また、ブランク１１の厚さは、好ましくは０．１〜１ｍｍであるが、紙の場合には好ましくは０．２〜１ｍｍ、特に好ましくは０．３〜０．８ｍｍである。一方プラスチックシートの場合は好ましくは０．１〜０．７ｍｍ、更に好ましくは０．２〜０．５ｍｍ程度の厚さである。ブランク１１は、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備えている。
【００１５】
また、樹脂フィルム１２の材質は、ブランク１１と同様に通常用いられるの材質を使用することができる。例えばラッピングフィルムとしては好ましくは２０μｍ〜５０μｍ程度の厚さのＯＰＰを使用することができ、例えばシュリンクフィルムであれば２０〜６０μｍ程度の厚さのＰＥＴ、ＰＳ、ＰＶＣや、１５〜３０μｍ程度の厚さのＯＰＰを使用することができる。
【００１６】
また、ブランク１１は、図３に示すように、六面体状の箱１０を展開した形状となるように、例えば薄板状のプラスチックシートを打ち抜いて裁断することで容易に形成される。ブランク１１には、例えば半切れ線や罫線からなる折曲げ線１３ａ，１３ｂ，１３ｃ，１３ｄ，１３ｅ，１３ｆ，１３ｇ，１３ｈ，１３ｉや、全切れ線からなる切込み等が適宜の位置に設けられていることで、六面体状の箱１０を容易に組み立てることができる。
【００１７】
ここで、本実施形態のブランク１１では、例えば縦長の略長方形の前面側の正面板１７ａの左右両側に、縦方向の折曲げ線１３ａ，１３ｂを介して縦長の略長方形の側面板１５が各々連設している。正面板１７ａの右側の側面板１５のさらに右側には、縦方向の折曲げ線１３ｃを介して縦長の略長方形の背面側の正面板１７ｂが連設している。背面側の正面板１７ｂのさらに右側には、縦方向の折曲げ線１３ｄを介して縦長の略長方形の接合側面板２３が連設している。なお、上記及び後述する説明におけるブランク１１の左右方向や上下方向は、図３に示すブランク１１の展開図上での左右方向や上下方向である。
【００１８】
また、前面側の正面板１７ａの上方には、横方向の折曲げ線１３ｈを介して天面部正面フラップ２４が連設している。さらに、天面部正面フラップ２４の上方には、横方向の折曲げ線１３ｉを介して天面部差込フラップ２５が連設している。横方向の折曲げ線１３ｉには、これの中央部分につば部切込み２６が設けられており、両端部分に係止切込み２７が設けられている。つば部切込み２６によって、自立箱１０が組み立てられた後に天面部２９（図１参照）の開放操作を容易にする、つば片２８が形成される。係止切込み２７は、天面部差込フラップ２５を背面側の正面板１７ｂの上端縁部の内側に差し込んだ際に、天面部側面フラップ３０の基端係止部３０ａに係止される。
【００１９】
さらに、本実施形態では、前面側の正面板１７ａの下端縁部は、斜めに切り欠かれた両端を除く略全長に亘って、これの左右両側の側面板１５と底部側面フラップ１６との間の横方向の折曲げ線１３ｅよりも下方に、好ましくは２〜５ｍｍ程度の突出高さｈ1で下方に突出している。前面側の正面板１７ａの折曲げ線１３ｅよりも下方に突出する下端縁部によって、角部脚片２０と共に自立箱１を自立させる際の支持脚部を構成する、脚片２１が形成される。これによって、底部１４が湾曲しても自立箱１の自立安定性が保てる。
【００２０】
前面側の正面板１７ａの左右両側に各々連設する側面板１５の上方には、横方向の折曲げ線１３ｅを介して天面部側面フラップ３０が連設している。各天面部側面フラップ３０の折曲げ線１３ｅと近接する基端部分には、天面部正面フラップ２４と天面部差込フラップ２５との間の折曲げ線１３ｉに形成された係止切込み２７が係止される基端係止部３０ａが設けられている。各側面板１５の下方には、横方向の折曲げ線１３ｅを介して底部側面フラップ１６が連設している。各底部側面フラップ１６の折曲げ線１３ｅと近接する基端部分には、後述する底部正面フラップ１８と底部差込フラップ１９との間の折曲げ線１３ｇに形成された係止切込み２２が係止される基端係止部１６ａが設けられている。
【００２１】
背面側の正面板１７ｂの下方には、横方向の折曲げ線１３ｆを介して底部正面フラップ１８が連設している。さらに、底部正面フラップ１８の下方には、横方向の折曲げ線１３ｇを介して底部差込フラップ１９が連設している。背面側の正面板１７ｂと底部正面フラップ１８との間の折曲げ線１３ｆは、背面側の正面板１７ｂと両側の側面板１５との間の折曲げ線１３ｄに至ることなく、角部切込み３１ａ，３１ｂと接続している。
【００２２】
角部切込み３１ａ，３１ｂは、前面側の正面板１７ａの下端縁部の突出高さｈ1に相当する、折曲げ線１３ｆよりも好ましくは２〜５ｍｍ程度の突出高さｈ2離れた位置に沿って延設する部分を有している。背面側の正面板１７ｂにおける左側の側面板１５との角部に形成された角部切込み３１ａは、折曲げ線１３ｃを越えて側面板１５まで延設し、側面板１５と底部側面フラップ１６との間の折曲げ線１３ｅに接続している。背面側の正面板１７ｂにおける右側の接合側面板２３との角部に形成された角部切込み３１ｂは、折曲げ線１３ｄの下端部まで延設して、接合側面板２３の下端部角部領域に形成された脚片部２３ａの周縁に接続している。これらによって、背面側の正面板１７ｂの下端縁部の両端部分には、背面側の正面板１７ｂと底部正面フラップ１８との折曲げ線１３ｆよりも下方に突出する角部脚片２０が、当該両端部分から両側の折曲げ線１３ｃ，１３ｄを越えて延在して各々設けられる。
【００２３】
また、底部正面フラップ１８と底部差込フラップ１９との間の折曲げ線１３ｇには、これの両端部分に係止切込み２２が設けられている。係止切込み２２は、底部差込フラップ１９を正面側の正面板１７ａの下端縁部の内側に差し込んだ際に、底部側面フラップ１６の基端係止部１６ａに係止される。
【００２４】
さらに、本実施形態では、背面側の正面板１７ｂの上端縁部には、これの中央部分を円弧形状に切り欠いて、指掛け案内切欠き３２が設けられている。この指掛け案内切欠き３２には、天面部正面フラップ２４によって箱１０の天面部２９を閉塞した際に、つば片２８が配置されるようになっている。この指掛け案内切欠き３２に指を添えることで、つば片２８を持ち上げ易くして、天面部２９の開放操作をよりスムーズに行うことができる。
【００２５】
ブランク１１から六面体状の箱１０を組み立てるには、例えば縦方向の折曲げ線１３ａ，１３ｂ，１３ｃ，１３ｄを各々折曲げると共に、接合側面板２３を内側にして左側の端部に配置された一方の側面板１５を重ね合わせた状態で、これらを接着剤等を介して接合する。これによって、ブランク１１は矩形断面の筒状に形成される。
【００２６】
次に、折曲げ線１３ｅを折り曲げて一対の底部側面フラップ１６を内側に配置した状態で、折曲げ線１３ｆを折り曲げることで、底部正面フラップ１８を底部側面フラップ１６の外側に折り重ねる。また折曲げ線１３ｇを折り曲げて、底部差込フラップ１９を前面側の正面板１７ａの下端縁部の内側に差し込み、折曲げ線１３ｇの両端部の係止切込み２２を底部側面フラップ１６の基端係止部１６ａに係止する。これによって、箱１０の底部１４は、底部正面フラップ１８によって閉塞される。また、背面側の正面板１７ｂと一対の側面板１５との各角部の下端から、角部脚片２０が、Ｌ字形断面形状を備えるように折れ曲った状態で各々突出すると共に、前面側の正面板１７ａの下端縁部には、底部１４よりも下方に突出する脚片２１が下端縁部の略全長に亘って形成される。一対の角部脚片２０と前面側の正面板１７ａの下端縁部の脚片２１とによって、載置面に自立箱１０を立設させる際の支持脚部が構成される。
【００２７】
底部１４を閉塞したら、例えば化粧品を収容物として位置決め用の台紙と共に箱１０の内部に収容した後に、天面部２９を閉塞する。すなわち、折曲げ線１３ｅを折り曲げて一対の天面部側面フラップ３０を内側に配置した状態で、折曲げ線１３ｈを折り曲げることで、天面部正面フラップ２４を天面部側面フラップ３０の外側に折り重ねる。また、折曲げ線１３ｉを折り曲げて、天面部差込フラップ２５を背面側の正面板１７ｂの上端縁部の内側に差し込み、折曲げ線１３ｉの両端部の係止切込み２７を天面部側面フラップ３０の基端係止部３０ａに係止することで、天面部２９を閉塞する。
【００２８】
さらに、本実施形態の自立箱１は、図１及び図２（ａ），（ｂ）に示すように、収容物を収容して天面部２９を閉塞した後に、六面体状の箱１０の外周面を覆って樹脂フィルム１２が装着されることで、収容物が改竄されるのを防止できる状態で製品化される。すなわち、公知の装置や方法を用いて、シュリンクフィルムやラッピングフイルム等の樹脂フィルム１２が、例えば所定の張力を保持した状態で箱１０の外周面に巻き付けられるようにして装着されることになる。
【００２９】
そして、上述の構成を備える本実施形態の自立箱１によれば、六面体状の箱１０の外周面を覆って樹脂フィルム１２が装着されている場合でも、安定した状態で自立することができる。
【００３０】
すなわち、本実施形態によれば、自立箱１には、背面側の正面板１７ｂの下端縁部の両端部分に、折曲げ線１３ｃ，１３ｄの部分で折り曲げられて、背面側の正面板１７ｂと一対の側面板１５との各角部の下端からＬ字形断面形状で各々突出する角部脚片２０が設けられており、これらの角部脚片２０は、前面側の正面板１７ａの下端縁部に下方に突出して設けられた脚片２１と共に、載置面に立設させる際の支持脚部を構成するようになっている。
【００３１】
したがって、本実施形態の自立箱１によれば、特にＬ字形断面形状を有する角部脚片２０の大きな保形剛性によって、図４に示すように、六面体状の箱１０の外周面に樹脂フィルム１２を巻き付ける際の張力による内側への押し付け力によって、角部脚片２０が内側に倒れるように傾倒するのを効果的に回避することが可能になる。これによって、例えば図５（ａ）に示す脚部自立片５１を備える従来の自立箱５０に樹脂フィルム５２を装着した場合のように、図５（ｂ）に示す如く脚部自立片５１が樹脂フィルム１２の張力により内側に傾倒して倒れ易くなるのを防止して、安定した状態で自立箱１を自立させることが可能になる。
【００３２】
また、本実施形態の自立箱１０では、角部脚片２０を設けることで、六面体状の箱１０の底部１４における角部脚片２０の根元部には穴が開くことになるが、箱１０を覆って樹脂フィルム１２が装着されるので、これらの穴を介したごみ等の異物の進入や改竄（いたずら）を効果的に防止できる。
【００３３】
なお、本発明は上記実施形態に限定されることなく種々の変更が可能である。例えば、底部正面フラップと底部差込フラップとの間の折曲げ線の両端部分に係止切込みが形成されている必要は必ずしもなく、底部側面フラップの基端部分に基端係止部を設ける必要は必ずしもない。底部側面フラップの基端部分に基端係止部を設けない場合には、他方の正面板の下端縁部に設けた脚片を、他方の正面板の両側縁の折曲げ線を越えてＬ字断面形状に折れ曲った角部脚部を含んで形成することで、当該脚片の樹脂フィルム１２を巻き付ける際の押し付け力に対する保形剛性を向上させて、自立箱をさらに安定した状態で自立させることが可能になる。また、自立箱を形成するためのブランクは、プラスチック製の他、板紙製等のブランクであっても良い。
【符号の説明】
【００３４】
１    自立箱
１０  六面体状の箱
１１  ブランク
１２  樹脂フィルム
１３ａ，１３ｂ，１３ｃ，１３ｄ，１３ｅ，１３ｆ，１３ｇ，１３ｈ，１３ｉ  折曲げ線
１４  底部
１５  側面板
１６  底部側面フラップ
１６ａ  基端係止部
１７ａ  前面側の正面板（他方の正面板）
１７ｂ  背面側の正面板（一方の正面板）
１８  底部正面フラップ
１９  底部差込フラップ
２０  角部脚片（支持脚部）
２１  脚片（支持脚部）
２２  係止切込み
２３  接合側面板
２３ａ  脚片部
３１ａ，３１ｂ  角部切込み
【図１】
2011168320.tif 000003
【図２】
2011168320.tif 000004
【図３】
2011168320.tif 000005
【図４】
2011168320.tif 000006
【図５】
2011168320.tif 000007